(57)【特許請求の範囲】
【請求項１】
歯科対象物（１）の光学３次元測定法であって、前記方法は、
第１の３次元光学測定法を使用して、前記歯科対象物（１）の第１領域（４）を測定する工程であって、前記第１の３次元光学測定法は、三角測量法及び縞投影法に基づく、工程と、
少なくとも前記第１領域（４）において粉体を適用し、非反射性表面を形成する前処理の工程と、
第１の画像データ（１４）を生成する工程と、
前記粉体を用いた前処理をすることなく、前記歯科対象物（１）の第２領域（７）を測定する工程と、
第２の画像データ（１６）を生成する工程と、更に、
前記第１の画像データ（１４）と前記第２の画像データ（１６）を組み合わせて、重ね合わせ３次元写真（２１）を形成する工程と、
を備える、光学３次元測定法であって、
前記第２の領域（７）を測定する工程は、第２の３次元光学測定を使用して実行され、且つ、前記第２の３次元光学測定は、前記第１の３次元光学測定法と比較して、投影グリッドの１つのグリッド周期がより大きく、また、粉体を前記第２領域（７）に適用しないという相違点を有することを特徴とする、
光学３次元測定法。
【請求項２】
歯科対象物（１）の光学３次元測定法であって、前記方法は、
第１の３次元光学測定法を使用して、前記歯科対象物（１）の第１領域（４）を測定する工程であって、前記第１の３次元光学測定法は、三角測量法及び縞投影法に基づく、工程と、
少なくとも前記第１領域（４）において粉体を適用し、非反射性表面を形成する前処理の工程と、
第１の画像データ（１４）を生成する工程と、
前記粉体を用いた前処理をすることなく、前記歯科対象物（１）の第２領域（７）を測定する工程と、
第２の画像データ（１６）を生成する工程と、更に、
前記第１の画像データ（１４）と前記第２の画像データ（１６）を組み合わせて、重ね合わせ３次元写真（２１）を形成する工程と、
を備える、光学３次元測定法であって、
前記第２の領域（７）を測定する工程は、第２の３次元光学測定を使用して実行され、且つ、前記第２の３次元光学測定は、共焦点顕微鏡検査法に基づくことを特徴とする、
光学３次元測定法。
【請求項３】
歯科対象物（１）の光学３次元測定法であって、前記方法は、
第１の３次元光学測定法を使用して、前記歯科対象物（１）の第１領域（４）を測定する工程であって、前記第１の３次元光学測定法は、三角測量法及び縞投影法に基づく、工程と、
少なくとも前記第１領域（４）において粉体を適用し、非反射性表面を形成する前処理の工程と、
第１の画像データ（１４）を生成する工程と、
前記粉体を用いた前処理をすることなく、前記歯科対象物（１）の第２領域（７）を測定する工程と、
第２の画像データ（１６）を生成する工程と、更に、
前記第１の画像データ（１４）と前記第２の画像データ（１６）を組合わせて、重ね合わせ３次元写真（２１）を形成する工程と、
を備える、光学３次元測定法であって、
前記第２の領域（７）を測定する工程は、第２の３次元光学測定を使用して実行され、且つ、前記第２の３次元光学測定は、白色光干渉法に基づくことを特徴とする、
光学３次元測定法。
【請求項４】
歯科対象物（１）の光学３次元測定法であって、前記方法は、
第１の３次元光学測定法を使用して、前記歯科対象物（１）の第１領域（４）を測定する工程であって、前記第１の３次元光学測定法は、三角測量法及び縞投影法に基づく、工程と、
少なくとも前記第１領域（４）において粉体を適用し、非反射性表面を形成する前処理の工程と、
第１の画像データ（１４）を生成する工程と、
前記粉体を用いた前処理をすることなく、前記歯科対象物（１）の第２領域（７）を測定する工程と、
第２の画像データ（１６）を生成する工程と、更に、
前記第１の画像データ（１４）と前記第２の画像データ（１６）を組み合わせて、重ね合わせ３次元写真（２１）を形成する工程と、
を備える、光学３次元測定法であって、
前記第２の領域（７）を測定する工程は、第２の３次元光学測定を使用して実行され、且つ、前記第２の３次元光学測定は、色パターンを使用する三角測量法に基づくことを特徴とする、
光学３次元測定法。
【請求項５】
前記第２の３次元光学測定法が実行される際、前記歯科対象物（１）についての第２の画像データの色情報が生成されることを特徴とする、請求項１〜４のいずれか一項に記載の方法。
【請求項６】
前記歯科対象物の前記第１領域が、患者の口腔内の前処理部位（１０）であることを特徴とする、請求項１〜５のいずれか一項に記載の方法。
【請求項７】
前記歯科対象物の前記第２領域が、対合歯（９）、前記第１領域（４）に近接する隣接する歯（１２、１３）、又は顎全体（２）を含むことを特徴とする、請求項１〜６のいずれか一項に記載の方法。
【請求項８】
前記第２領域（７）が、前記歯科対象物（１）の前記第１領域（４）を含むことを特徴とする、請求項１〜７のいずれか一項に記載の方法。
【請求項９】
前記第２領域（７）及び前記第１領域（４）が、互いに重複しないことを特徴とする、請求項１〜７のいずれか一項に記載の方法。
【請求項１０】
歯科対象物の光学３次元測定用の測定装置であって、前記測定装置は、
三角測量法及び縞投影法に基づく第１の３次元光学測定法を使用した第１の測定装置（４０、５４）であって、前記第１の測定装置は第１のグリッド定数を有する第１の投影グリッド（４０、５４）を備える、第１の測定装置と、
第１の３次元光学測定法と比較して精度の低い、第２の３次元光学測定法を使用する第２の測定装置（４１、５４、６０、６１、６２、６３）と、
前記第１の測定法による操作に対する第１のモードと前記第２の測定法による操作に対する第２のモードとの間で、前記測定装置を、切り換えるための、スイッチ（３１）及び調整装置（４４、５２、５３、５５）であって、前記第２の測定装置（４１、５４、６０、６１、６２、６３）は、前記調整装置の手段（４４、５２、５３、５５）を用いて前記第１のモードから前記第２のモードへと切り替える期間に、前記測定装置のビーム経路内に前記第１の測定装置（４０、５４）の代わりに配置されることを特徴とする、スイッチ及び調整装置と、
を備える測定装置であって、
前記第２の測定法は、前記第１の測定法と対応しており、前記第２の測定装置は、第２のグリッド定数を有する第２の投影グリッド（４１）を備えるという相違点を有し、前記第２の測定装置は、前記測定装置（３０）のビーム経路（４５）内に導入可能であり、且つ、前記第２のグリッド定数は、前記第１のグリッド定数よりも大きいことを特徴とする、
光学３次元測定用の測定装置。
【請求項１１】
対象面内での、前記第１の投影グリッド（４０）の前記第１のグリッド定数が、３００μｍ〜４００μｍであり、前記対象面内での、前記第２の投影グリッド（４１）の前記第２のグリッド定数が、６００μｍ〜８００μｍであることを特徴とする、請求項１０に記載の測定装置。
【請求項１２】
前記第１モードから前記第２モードへの前記切り替えの間に、前記第２の投影グリッド（４１）が、機械的旋回装置（４４）によって、前記第１の投影グリッド（４０）の場所の、前記ビーム経路（４５）内へと旋回されることを特徴とする、請求項１０又は１１に記載の測定装置。
【請求項１３】
前記第１の投影グリッド（４０）及び前記第２の投影グリッド（４１）が、デジタル投光器（５４）によって生成され、前記デジタル投光器（５４）が、前記第１モードから前記第２モードへの前記切り替えの間に、制御装置（５５）によって制御され、このことは、前記第２の投影グリッド（４１）が、前記第１の投影グリッド（４０）の代わりに生成されて、前記対象物上に投影されることを意味することを特徴とする、請求項１０又は１１に記載の測定装置。
【請求項１４】
歯科対象物の光学３次元測定用の測定装置であって、前記測定装置は、
三角測量法及び縞投影法に基づく第１の３次元光学測定法を使用した第１の測定装置（４０、５４）であって、前記第１の測定装置は第１のグリッド定数を有する第１の投影グリッド（４０、５４）を備える、第１の測定装置と、
第１の３次元光学測定法と比較して精度の低い、第２の３次元光学測定法を使用する第２の測定装置（４１、５４、６０、６１、６２、６３）と、
前記第１の測定法による操作に対する第１のモードと前記第２の測定法による操作に対する第２のモードとの間で、前記測定装置を、切り換えるための、スイッチ（３１）及び調整装置（４４、５２、５３、５５）であって、前記第２の測定装置（４１、５４、６０、６１、６２、６３）は、前記調整装置の手段（４４、５２、５３、５５）を用いて前記第１のモードから前記第２のモードへと切り替える期間に、前記測定装置のビーム経路内に前記第１の測定装置（４０、５４）の代わりに配置されることを特徴とする、スイッチ及び調整装置と、
を備える測定装置であって、
共焦点顕微鏡法の使用において前記第２の測定装置は、光源と（６０）、第１のアパーチャーと（６１）、第２のアパーチャーと（６２）、ビームスプリッターと、及び／又は検知器（４９）を備え、
前記第２のモードにおいて、前記光源（６０）の照明ビームが前記第１のアパーチャー（６１）を通過して、測定される焦点面上に収束され、
前記第２のアパーチャー（６２）は、前記焦点面内の前記対象物により反射される観測ビーム（４７）が、前記第２のアパーチャー（６２）を通過して前記検出器（４９）に到達するように配置され、且つ
前記焦点面内の外側の前記観測ビームが遮断されることを特徴とする、
光学３次元測定用の測定装置。
【請求項１５】
歯科対象物の光学３次元測定用の測定装置であって、前記測定装置は、
三角測量法及び縞投影法に基づく第１の３次元光学測定法を使用した第１の測定装置（４０、５４）であって、前記第１の測定装置は第１のグリッド定数を有する第１の投影グリッド（４０、５４）を備える、第１の測定装置と、
第１の３次元光学測定法と比較して精度の低い、第２の３次元光学測定法を使用する第２の測定装置（４１、５４、６０、６１、６２、６３）と、
前記第１の測定法による操作に対する第１のモードと前記第２の測定法による操作に対する第２のモードとの間で、前記測定装置を、切り換えるための、スイッチ（３１）及び調整装置（４４、５２、５３、５５）であって、前記第２の測定装置（４１、５４、６０、６１、６２、６３）は、前記調整装置の手段（４４、５２、５３、５５）を用いて前記第１のモードから前記第２のモードへと切り替える期間に、前記測定装置のビーム経路内に前記第１の測定装置（４０、５４）の代わりに配置されることを特徴とする、スイッチ及び調整装置と、
を備える測定装置であって、
白色光干渉法の使用のための前記第２の測定装置は、広帯域白色光源及び干渉計を含むことを特徴とする、
光学３次元測定用の測定装置。
【請求項１６】
歯科対象物の光学３次元測定用の測定装置であって、前記測定装置は、
三角測量法及び縞投影法に基づく第１の３次元光学測定法を使用した第１の測定装置（４０、５４）であって、前記第１の測定装置は第１のグリッド定数を有する第１の投影グリッド（４０、５４）を備える、第１の測定装置と、
第１の３次元光学測定法と比較して精度の低い、第２の３次元光学測定法を使用する第２の測定装置（４１、５４、６０、６１、６２、６３）と、
前記第１の測定法による操作に対する第１のモードと前記第２の測定法による操作に対する第２のモードとの間で、前記測定装置を、切り換えるための、スイッチ（３１）及び調整装置（４４、５２、５３、５５）であって、前記第２の測定装置（４１、５４、６０、６１、６２、６３）は、前記調整装置の手段（４４、５２、５３、５５）を用いて前記第１のモードから前記第２のモードへと切り替える期間に、前記測定装置のビーム経路内に前記第１の測定装置（４０、５４）の代わりに配置されることを特徴とする、スイッチ及び調整装置と、
を備える測定装置であって、
前記第２の測定装置は、色パターンを有する三角測量法の使用のための、種々の色の複数の光源、若しくは種々の色の複数のフィルターを有する１つの光源、及び投影される色パターンを生成するための投影グリッドを含むことを特徴とする、
光学３次元測定用の測定装置。
【発明の詳細な説明】
【技術分野】
【０００１】
本発明は、歯科対象物の第１領域が、第１の３次元光学測定法を使用して測定され、粉体が、少なくとも第１領域内に適用されて、第１の画像データが生成される、歯科対象物の３次元光学測定のための方法に関する。
【背景技術】
【０００２】
歯科対象物の３次元光学測定のための幾つかの方法が、従来技術により既知である。具体的には、三角測量法、共焦点顕微鏡検査法、又は白色光干渉法などの３次元光学法が既知である。
【０００３】
独国特許第１９９  ６３  ３３３（Ａ１）号では、複数のパターン要素からなる既知の構造の色パターンがプロジェクト上に投影される、別の３次元光学法が開示されている。この投影された色パターンを撮影して、更なる処理工程でそれらのパターン要素のそれぞれに投影角を割り当てる。この投影角で、カメラと投影器との相対位置が既知である場合に、観察される物点の３次元座標を確定することができる。
【０００４】
国際公開第２００４／０１００７６（Ａ１）号では、冗長符号を使用して、色パターンの投影データを符号化する、この方法の改良点が開示されている。
【０００５】
既知の縞投影法では、測定のための対象物は、種々の幅の平行光及び暗い縞により照射される。別の工程で、投影された縞パターンは、その投影に対する既知の視野角のカメラによって撮影される。いわゆる位相シフト法を使用して、縞の数を反映する投影座標を決定する。投影器内の縞の数はカメラ内の画像座標に対応する。対象物に対する、既知のカメラ位置及び既知の投影器位置を使用して、カメラ内の座標によって特定される、それぞれの縞及び直線によって特定される交点を計算することができる。この方式で、測定点のそれぞれに関して、表面の３次元座標が決定される。
【０００６】
白色光干渉法では、低コヒーレンス長の光が使用され、参照波及び物体波の経路長が殆ど等しい場合に非差異色を生じさせる。この干渉縞は、経路長の変化と共に変化するが、このことは、測定のための対象物の表面までの距離を、干渉縞に基づいて決定することができることを意味する。
【０００７】
３次元共焦点顕微鏡検査法では、焦点面を漸進的に移行させつつ、歯科対象物の表面を漸進的に走査する。焦点面の外側の光は、アパーチャーによって、可能な限り遮蔽される。次いで、種々の焦点面の個別の工程の測定画像データから、測定対象物の３次元モデルを計算することができる。
【０００８】
縞投影法の１つの不利点は、正確な写真のためには、測定対象物の非反射性表面が必要とされることである。それゆえ歯科対象物は、通常は、写真が撮影される前に、特殊な粉体でコーティングされる。適用された粉体層は、写真が撮影された後に除去される。
【０００９】
不均一な反射により写真のエラーが生じるため、粉体が適用されない場合には、単に低い精度が達成されるに過ぎない。
【００１０】
粉体の事前適用を使用しない、上述の他の３次元光学法は、歯科修復物を計画するための、前処理区域の測定など特定の用途に関しては、不十分な精度を提供するのみである。
【００１１】
しかしながら、最大限の高い測定精度を必要とすることのない測定作業が存在する。そのような測定作業としては、例えば、顎全体の測定、前処理領域内の対合歯の測定、及び概観写真が挙げられる。
【発明の概要】
【発明が解決しようとする課題】
【００１２】
それゆえ、本発明の目的は、迅速かつ単純な測定が、それぞれの測定作業の適切な精度を伴って可能となる、歯科対象物の３次元光学測定のための方法を提供することである。
【課題を解決するための手段】
【００１３】
本発明は、歯科対象物の第１領域が、第１の３次元光学測定法を使用して測定される、歯科対象物の３次元光学測定のための方法に関する。この第１の３次元光学測定法は、三角測量法及び縞投影法に基づく。測定を実行する前に、少なくとも第１領域に粉体を適用して、第１の画像データを生成する。次いで、より精度の低い第２の３次元光学測定法を使用して、最初に粉体を適用することなく、歯科対象物の第２領域を測定することにより、第２の画像データを生成する。次いで、第１の画像データを第２の画像データと組み合わせて、重ね合わせ３次元写真を形成する。
【００１４】
第１の３次元光学測定法は、対象物の実際の寸法からの最小限の偏差を伴う、歯科対象物の精密測定を可能にするものであり、例えば、対象物への粉体の事前適用を使用する三角法による縞投影法とすることができる。第１領域は、精密測定を必要とし、例えば、計画された修復物の挿入のための前処理部、及びこの前処理部に近位の隣接する歯を含み得る。第１の画像データは、歯科対象物の第１領域の３次元構造を含み、メモリ内に記憶させることができる。第２の３次元光学測定法は、より低い精度を有するものであるが、第１の測定法よりも容易かつ迅速に実行することができる。第１の測定法と比較した第２の測定法の有利点としては、この第２の測定法は、測定が実行される際のハンドピースの動揺に対して、より感受性が低いという事実と、干渉する反射を防止するための、対象物への粉体の適用が必要とされないことと、測定中の対象物から色情報を取得することができるという事実と、測定が、測定対象物の上を飛び越えて移動する間に継続的に実行され（オンザフライ能力）、空間の種々の角度からの、複数の個別の写真を通じて漸進的に実行されるものではないという事実とを、挙げることができる。この生成された第２の画像データもまた、メモリ内に保存することができる。次いで、コンピュータによって、第１の画像データを第２の画像データと組み合わせることにより、撮影される歯科対象物の第１領域及び第２領域内で必要とされる精度を有する、重ね合わせ３次元写真が形成される。
【００１５】
この方法の１つの有利点は、その方法が、この測定作業の精度要件を満たす、単純で迅速な、最適化された３次元法を提供し、特定の測定作業に関して最適化される点である。
【００１６】
この方法の別の有利点は、２つの画像データのセットを組み合わせる際に、第１の画像データと第２の画像データとの偏差が、またそれゆえ光学的エラーが検知されるため、次いで、これらのエラーを補正することができる点である。
【００１７】
第１の測定法での粉体の適用を通じて、第１領域（前処理部位とすることができる）は、第１工程で、反射を防止するための粉体でコーティングされ、第２工程で、縞投影法による歯科用ハンドピースによって測定される。精度を改善するために、第１の精密測定法で、短波の青色光を使用して、写真の精度を改善することができる。４００ｎｍ〜５００ｎｍの波長を有する青色光を好ましくは使用することができる。
【００１８】
第２領域は、反射に関して感受性がより低い、第２の測定法によって測定されるが、このことは、第２領域が、粉体の事前適用を必要としないことを意味する。
【００１９】
この第２の３次元光学測定法は、有利には、第１の３次元光学測定法に対応するが、投影グリッドのグリッド周期がより大きく、この第２領域には粉体が適用されないという相違点を有する。
【００２０】
この第２の測定法は、それゆえ、第１の測定法と同様に、縞投影法に基づくものであるが、第２の方法では、投影グリッドの第２のグリッド周期は、第１の方法での、投影グリッドの第１のグリッド周期よりも大きく、第２領域には粉体を適用する必要がない。この第２の測定法は、それゆえ、より精度の低いものであるが、より単純に実行することができる。投影グリッドの第１のグリッド周期は、３００μｍ〜４００μｍ、好ましくは３５０μｍとすることができ、投影グリッドの第２のグリッド周期は、６００μｍ〜８００μｍ、好ましくは７００μｍとすることができる。
【００２１】
第２の３次元光学測定法は、有利には、共焦点顕微鏡検査法に基づき得る。
【００２２】
この３次元測定のための共焦点顕微鏡検査法は、縞投影法よりも、対象物の表面での反射に関して感受性が低く、それゆえ対象物に粉体を適用することなく、３次元の形状の決定を可能にする。第２領域はそれゆえ、その領域に粉体を適用することなく、共焦点顕微鏡検査法を使用することによって測定することができる。対象物の色も、この方法で検知することができる。この方法の不利点は、共焦点面の寸法に応じて決定される解像度が、縞投影法の場合よりも低く、測定の所要時間が、縞投影法での所要時間よりも遙かに長いという点である。
【００２３】
第２の３次元光学測定法は、有利には、白色光干渉法に基づき得る。
【００２４】
第２領域は、それゆえ、白色光干渉法に基づく歯科用ハンドピースによって測定することができる。白色光干渉法は、対象物の表面での反射に関してより感受性が低く、それゆえ、いかなる粉体の適用も使用しない、第２領域の３次元の形状の決定を可能にする。この３次元測定に加えて、対象物の表面についての色情報も取得することができる。
【００２５】
第２の３次元光学測定法は、有利には、色パターンを使用する三角測量法に基づき得る。
【００２６】
色パターンを使用する既知の三角測量法は、その測定が、第２領域への粉体の事前適用を必要とすることなく、歯科対象物についての追加的な色情報を取得することができるという有利点を有する。
【００２７】
第２の３次元光学測定法を実行する際に、有利には、歯科対象物についての色情報を生成することができる。
【００２８】
それゆえ、測定対象物の３次元寸法に加えて、その対象物についての色情報も取得することができる。第２領域、例えば隣接する歯についての、この色情報は、計画される修復物の色調を、隣接する歯の色調に適合させるように、その修復物を計画するために使用することができる。
【００２９】
歯科対象物の第１領域は、有利には、患者の口腔内の前処理部位とすることができる。
【００３０】
それゆえ、より精度の高い第１の測定法で撮影されるこの第１領域は、修復物を挿入するための前処理部位を含む。次いで、隣接する歯、対合歯、顎の残りの区域、及び／又は前処理部位を取り囲む歯肉を、より精度の低い第２の測定法によって測定することができる。
【００３１】
この歯科対象物の第２領域は、有利には、第１領域の近傍の、隣接する歯を含む対合歯、又は顎全体とすることができる。
【００３２】
前述の構造はそれゆえ、より低い精度で検知され、挿入される修復物の配向及び計画に関してのみ役立つものであり、この修復物は、隣接する歯並びに対合歯に、形状及び／又は彩色が適合される。
【００３３】
第２領域は、有利には、歯科対象物の第１領域を含み得る。
【００３４】
第１領域はそれゆえ、第１の測定法によって検知され、同様に、より精度の低い第２の測定法によっても検知される。
【００３５】
第１の画像データは、有利には、第２の画像データと比較することができ、それゆえ第１の画像データ内の不完全な箇所が検知可能である。
【００３６】
それゆえ、例えば、第１領域への粉体の不完全な適用によって引き起こされる、光学的エラーを検知することができる。第１の測定法による第１領域の測定の間に使用されるハンドピースの動揺もまた、写真内のエラーを生じさせる恐れがあるが、このエラーは、第２の画像データとの比較によって検知することができる。
【００３７】
有利には、この第１の画像データ内の不完全な箇所を補正することができる。
【００３８】
この不完全な箇所は、既知のパターン認識アルゴリズムを使用して自動的に、又はユーザーによって手作業で、補正することができる。補正の結果は、第１領域及び第２領域の双方を含む、エラーのない写真である。
【００３９】
有利には、第２領域と第１領域が重複しない場合がある。
【００４０】
対象物の第１領域はそれゆえ、第１の測定法のみを使用して測定される。
【００４１】
本発明の別の主題は、歯科対象物の３次元光学測定のための測定装置であり、この測定装置は、三角測量法及び縞投影法に基づく、第１の精密な３次元光学測定法の使用のための第１の手段を含む。この第１の手段は、第１のグリッド定数を有する第１の投影グリッドを含む。この測定装置は、より精度の低い第２の３次元光学測定法の使用のための、第２の手段を更に含む。この測定装置はまた、第１の方法に従う動作のための第１モードと、第２の方法に従う動作のための第２モードとの間で、測定装置を切り替えるための、スイッチ及び調節手段も含む。この調節手段による、第１モードから第２モードへの切り替えの間に、第２の手段が、第１の手段の代わりに、測定装置のビームの経路内に配置される。
【００４２】
この測定装置は、上述の本発明の方法を実行することを可能にする。第１モードでは、第１の精密な光学測定法を使用して、歯科対象物を測定することができ、第２モードでは、より精度の低い第２の光学測定法を使用して、歯科対象物を測定することができる。このモード設定に応じて、第１の手段又は第２の手段が、測定装置のビームの経路内に導入される。第１の投影グリッドは、平行縞などの、種々の投影パターンを有し得る。スイッチは、ユーザーによって、手動で操作可能である。
【００４３】
この測定装置の１つの有利点は、第１の測定法又は第２の測定法を使用することによって、歯科対象物を、同じ測定装置で任意選択的に検知することができる点である。それゆえ、測定装置を変更する必要がないため、測定全体の所要時間が短縮される。
【００４４】
第２の測定法は、有利には、第１の測定法に対応し得るが、ただし、第２の手段は、測定装置のビームの経路内に導入することができる、第２のグリッド定数を有する第２の投影グリッドを含むという相違点がある。この第２の投影グリッドの第２のグリッド定数は、第１の投影グリッドの第１のグリッド定数よりも大きい。
【００４５】
より大きいグリッド定数を有する第２の測定法は、第１の測定法の場合よりも、低い解像度の画像データが生成されるという結果をもたらすが、この第２の測定法は、反射を防止するために、歯科対象物に粉体を適用することを必要としないという有利点を有する。グリッド定数の値は、対象物の面内での、投影パターンの平行線間の距離に関連する。
【００４６】
対象面内での、第１の投影グリッドの第１のグリッド定数は、有利には、３００μｍ〜４００μｍ、好ましくは３５０μｍとすることができる。対象物の面内での、第２の投影グリッドの第２のグリッド定数は、６００μｍ〜８００μｍ、好ましくは７５０μｍとすることができる。
【００４７】
第１モードから第２モードへの切り替えの間に、有利には、第２の投影グリッドは、機械的旋回装置によって、第１の投影グリッドの場所の、ビームの経路内へと旋回させることができる。
【００４８】
この機械的旋回装置は、それゆえ、単純操作での切り替えによって、測定装置のビームの経路内の、第１の手段の場所内に、第２の手段を配置することを可能にする。この機械的旋回装置は、例えば、測定装置のビームの経路と平行に位置合わせされる、旋回軸を有し得、その旋回軸に、第１の手段及び第２の手段が、旋回可能に接続される。第１及び第２の手段は、旋回軸の回転によって、特定の回転角を中心として回転されることにより、それらの手段は、任意選択的に測定装置のビームの経路内へと導入される。この旋回軸は、制御装置によって適宜に制御される、ステッピングモーターなどの電動モーターによって駆動することができる。
【００４９】
第１及び第２の投影グリッドは、有利には、デジタル投光器（略称ＤＬＰ）によって生成することができる。第１モードから第２モードへの切り替えの間に、このデジタル投光器は、制御装置によって制御されるが、このことは、第２の投影グリッドが、第１の投影グリッドの代わりに生成され、対象物の面内に所望のグリッド定数を有する線パターンが、その対象物上に投影されることを意味する。
【００５０】
第１モードと第２モードとの間の迅速な切り替えが、このデジタル投光器を使用することによって可能となる。デジタル投光器は、例えば液晶素子を有し得る。１つの有利点は、切り替えを実行するために、機械的調節手段を必要としないことにより、測定装置の耐用年数及び動作信頼性が改善される点である。
【００５１】
第２の手段は、有利には、共焦点顕微鏡検査法の使用に好適なものとすることができ、光源、第１アパーチャー、第２アパーチャー、ビームスプリッター、及び／又は検知器を含み得る。第２の手段は、第２モードでは、光源によって放出される照明ビームが、第１アパーチャーを通過して、測定される焦点面上に、焦点調整装置によって集束されるように、配置される。第２アパーチャーは、焦点面内の対象物によって反射されて戻る観測ビームが、第２アパーチャーを通過して検知器に到達するように配置され、焦点面の外側の観測ビームは遮蔽される。
【００５２】
第２モードではそれゆえ、共焦点顕微鏡検査法によって測定が実行され、３次元構造の検知に加えて、歯科対象物の色の検知が可能となる。
【００５３】
第２の手段は、有利には、白色光干渉法の使用に好適なものとすることができ、広帯域白色光源並びに干渉計を含み得る。
【００５４】
この干渉計は、任意の所望の設計を有し得る。白色光源は、好ましくは連続性の広域スペクトルを有する。
【００５５】
色パターンを使用する三角測量法の使用のための、第２の手段は、有利には、種々の色の複数の光源、若しくは種々の色の複数のフィルターを有する１つの光源、及び投影される色パターンを生成するための投影グリッドを有し得る。
【００５６】
それゆえ、互いに明確に差異化される、種々の色の平行線などの色パターンを生成して、歯科対象物上に投影することができる。第１モード及び第２モードに関して、同じ光源及び同じ投影グリッドを使用することができ、第２モードへの切り替えの間に、色フィルターがビームの経路内へと旋回される。そのような有利な実施形態では、光源は、色パターンに使用される色の波長を有する広域スペクトルを有する。
【図面の簡単な説明】
【００５７】
本発明は、以下の図面を参照して説明される。
【図１】２つのハンドピースを使用する、本を実行するための装置の図。
【図２】１つのハンドピースを使用する、本を実行するための装置の図。
【図３】図２による測定装置の第１の実施形態の図。
【図４】図２による測定装置の第２の実施形態の図。
【図５】図２による測定装置の第３の実施形態の図。
【発明を実施するための形態】
【００５８】
図１は、下顎２及び上顎３を含む、歯科対象物１の３次元光学測定の本方法を例示する図を示す。歯科対象物１はまた、下顎２の部分又は上顎３の部分のみを含む場合もある。点線によって囲まれた第１領域４は、第１の精密な３次元光学測定法を実行するために好適な、第１の精密測定装置５を使用して測定される。第１の測定装置５は、歯科用ハンドピースとすることができ、第１の測定法は、三角測量法及び縞投影法に基づく。第１の測定装置５による測定の前に、第１領域４は、測定精度を改善するための、光反射を防止する粉体でコーティングされる。次いで、より精度の低い第２の測定装置６によって、下側の歯の列８の全体、及び対合歯９を含む、歯科対象物１の第２領域７が測定される。第１領域４は、例えば、修復されるべき修復物１１のための前処理部１０を含み得る。第１領域４は、前処理部１０上への修復物１１の正確な適合を確実にするために、正確に測定しなければならない。第２の測定装置６は、より精度の低い第２の３次元光学測定法の使用に関して好適である。第１の測定法と同様に、第２の測定法は、例えば、縞投影法とすることができるが、ただし、この第２の測定法は、より大きいグリッド周期を有する投影グリッドを使用し、粉体の事前適用を使用することがない。共焦点顕微鏡検査法又は白色光干渉法などの、他の測定法も、第２の測定法として使用することができる。下側の歯の列８は、隣接する歯１２、１３も含む。修復物１１を計画する際には、第１の測定法によって撮影される前処理部１０の形状及び配向と、第２の測定法によって撮影される隣接する歯１２、１３並びに対合歯９の形状及び配向とが使用される。第１の測定装置５による第１領域４の測定の間に、表示装置１５によって表示されるような、その第１領域の第１の画像データ１４が生成される。第２の測定装置６による第２領域７の測定の際には、第２の画像データ１６が生成され、表示装置１５によって、第１の画像データと重ね合わせて表示される。第１の画像データ１４及び第２の画像データ１６は、コンピュータ１７に送信されて、３次元モデルを作り出すようにコンパイルされるが、この３次元モデルは、表示装置１５によって、種々の視野角から観察することができる。第１領域４は、歯科対象物１の第２領域８によって覆われており、このことは、前処理帯が、第１の測定装置５によって測定され、かつまた第２の測定装置６によっても測定されることを意味する。第１の画像データ１４と第２の画像データ１６との比較によって、前処理部の領域内での写真内のエラーを検知して、補正することができる。この補正は、既知のパターン認識法を使用して自動的に、あるいは入力手段１８及び入力手段１９によって、ユーザーによる手作業で、補正することができる。写真のエラー２０は、例えば、粉体の不十分な適用によって、またそれゆえ過度の反射によって生じる、隆起部とすることができる。この写真のエラー２０は、パターン認識法によって検知することができ、又は入力手段１８、１９を使用することによって、手動で標識することができる。第１領域の第１の画像データ１４と第２領域７の第２の画像データ１６とを組み合わせることにより、表示装置１５によって表示される、重ね合わせ３次元写真２１が形成される。
【００５９】
図２は、代替方法を実行するための、スイッチ３１を有する装置を示し、図１による装置と比較すると、単一の測定装置３０が使用される。第１の精密測定法が、測定装置３０の第１モードで使用され、より精度の低い第２の測定法が、第２モードで使用される。第１モードでは、より小さいグリッド周期を有する投影グリッドを、測定装置３０のビームの経路内に導入することができるが、このことには、第１領域４への粉体の事前適用が必要となる。第２モードでは、より大きいグリッド周期を有する投影グリッドが、測定装置３０のビームの経路内に定置されるが、このことは、粉体の事前適用を使用せずとも、第２モードで測定を実行することができることを意味する。第１工程では、測定装置は、第１領域４を測定するための第１モードで使用される。第２工程では、測定装置は、第２モードに切り替えられ、歯科対象物１の第２領域７を測定するために使用される。
【００６０】
図３は、３５０ｍｍの第１のグリッド定数を有する第１の投影グリッド４０と、より大きい７００ｍｍのグリッド定数を有する第２の投影グリッド４１とを有する、図２による測定装置３０の一実施形態を示す。第１の投影グリッド４０及び第２の投影グリッド４１は、ウェブ４２及びウェブ４３によって、旋回軸４４に旋回可能に接続される。旋回軸４４は、第１光源４６によって放出される照明ビームのビーム経路４５と平行に配置される。スイッチ３１が操作されると、測定装置３０は、第１モードにて第２モードに切り替えられる。次いで、旋回軸４４が１８０°回転されるが、このことは、第２グリッド４１が、照明ビームのビーム経路４５内に位置決めされることを意味する。それゆえ、単一の歯又は歯のグループなどの、歯科対象物１は、より大きいグリッド定数を有する第２の方法を使用する、第２モードで測定することができる。第２モードから第１モードへの切り替えの間に、旋回軸４４が、再び１８０°回転されるが、このことは、第１の投影グリッド４０が、ビーム経路４５内に再び位置決めされることを意味する。歯科対象物１によって反射された観測ビーム４７は、２つのビーム偏向器４８によって、検知器４９へと偏向される。次いで、その結果、生成された画像データから、歯科対象物１の３次元写真が作り出される。旋回軸４４は、第１軸受５０及び第２軸受５１内に、回転可能に取り付けられ、この軸受５０及び軸受５１は、玉軸受とすることができる。旋回軸４４は、スイッチ３１が操作される際に、モーター制御装置５３によって適宜に制御される、ステッピングモーターなどの電動モーター５２によって駆動される。
【００６１】
図４は、図２による測定装置３０の別の実施形態を示し、この実施形態は、スイッチ３１が第１モード又は第２モードへと切り替えられる際に、制御装置５５によって適宜に制御される、デジタル投光器５４によって、第１及び第２の投影グリッドが生成されるという点で、図３に例示された実施形態とは異なる。デジタル投光器５４は、液晶素子（ＬＣＤ）を含み得る。
【００６２】
図５は、図２による測定装置３０の別の実施形態を示し、第２の方法は、共焦点顕微鏡検査法である。第１モードのための第１の手段が、旋回軸４４の第１の頂部側に配置され、第２モードのための第２の手段が、旋回軸４４の第２の底部側に配置される。第１モードから第２モードに測定装置３０が切り替わる際に、旋回軸４４が１８０°回転されるが、このことは、第２の手段が、測定装置３０のビーム経路４５に到達することを意味する。第１モードのための第１の手段は、第１光源４６及び第１の投影グリッド４０を含む。第２の手段は、第２光源６０及び第１アパーチャー６１、第２アパーチャー６２及び焦点調整装置６３を含む。第２光源６０は、レーザーなどの、単色光源とすることができる。旋回軸４４を１８０°回転させることによって第２モードに切り替える際に、第２光源６０は、第１光源４６の位置に到達し、第１アパーチャー６１は、ビーム経路４１に到達し、第２アパーチャー及び焦点調整装置６３は、観測ビーム４７のビーム経路６４に到達。それゆえ、共焦点顕微鏡検査法を使用する、歯科対象物１の測定が、この第２モードで可能となる。旋回軸４４は、図３の第１の実施形態と同様に、第１軸受５０及び第２軸受５１内に、回転可能に取り付けられ、この軸受５０及び軸受５１は、玉軸受とすることができる。旋回軸４４は、モーター制御装置５３によって適宜に制御される、ステッピングモーターなどの電動モーター５２によって駆動される。
【図１】
0006039659.tif 000002
【図２】
0006039659.tif 000003
【図３】
0006039659.tif 000004
【図４】
0006039659.tif 000005
【図５】
0006039659.tif 000006